(57)【要約】      （修正有）【課題】複数のＬＥＤユニットを並列に接続して電圧を供給する場合の明るさのばらつきを低減する。【解決手段】直流電源に対して並列接続される複数のＬＥＤユニット２０と、コントローラ１０と、を備え、手摺りの中に複数のＬＥＤユニット２０が一列状に配置され、各ＬＥＤユニット２０がコントローラ１０に順次ケーブル３０で接続されている手摺照明システム１であって、各ＬＥＤユニット２０は、複数のＬＥＤと、ＬＥＤに流れる電流量を調整する調整部と、を備え、調整部は、コントローラ１０から遠い側のＬＥＤユニット２０の調整部ほど、ＬＥＤに流れる電流量が多くなるように調整する。【選択図】図１
2015195099.tif 000002
【特許請求の範囲】
【請求項１】
直流電源に対して並列接続される複数のＬＥＤユニットと、コントローラと、を備え、手摺りの中に複数の前記ＬＥＤユニットが一列状に配置され、各前記ＬＥＤユニットが前記コントローラに順次ケーブルで接続されている手摺照明システムであって、
各前記ＬＥＤユニットは、
複数のＬＥＤと、
前記ＬＥＤに流れる電流量を調整する調整部と、
を備え、
前記調整部は、前記コントローラから遠い側の前記ＬＥＤユニットの前記調整部ほど、前記ＬＥＤに流れる電流量が多くなるように調整する、手摺照明システム。
【請求項２】
請求項１に記載の手摺照明システムであって、
前記ＬＥＤをパルス駆動するディーティ比が記憶されている記憶部を備え、
前記調整部は前記記憶部に記憶されているデューティ比で前記ＬＥＤをパルス駆動し、
前記コントローラに近い前記ＬＥＤユニットから遠い前記ＬＥＤユニットの順に、前記記憶部に記憶されているデューティ比が大きくなる、手摺照明システム。
【請求項３】
請求項２に記載の手摺照明システムであって、
各前記ＬＥＤユニットは、当該ＬＥＤユニットの識別番号が記憶されている記憶部を備え、
前記調整部は、前記ＬＥＤをパルス駆動するディーティ比を前記識別番号に基づいて決定する、手摺照明システム。
【請求項４】
手摺照明システムに用いられるＬＥＤユニットであって、
複数のＬＥＤと、
識別番号が記憶されている記憶部と、
前記ＬＥＤをパルス駆動するディーティ比を前記識別番号に基づいて決定し、決定したデューティ比で前記ＬＥＤをパルス駆動する調整部と、
を備えるＬＥＤユニット。
【発明の詳細な説明】
【技術分野】
【０００１】
複数のＬＥＤユニットからなる手摺照明システムに関する。
【背景技術】
【０００２】
従来、ＬＥＤ照明などのＬＥＤユニットを複数連結して使用する技術が開示されている（例えば、特許文献１参照）。
【先行技術文献】
【特許文献】
【０００３】
【特許文献１】特開２０１３−２５４６５４号公報
【発明の概要】
【発明が解決しようとする課題】
【０００４】
ところで、複数のＬＥＤユニットを並列に接続して電圧を供給する場合、電源から遠いＬＥＤユニットほど電圧が降下してしまい、ＬＥＤユニット間で明るさがばらついてしまうという問題がある。従来はこの問題について検討されていなかった。
【０００５】
本明細書では、複数のＬＥＤユニットを並列に接続して電圧を供給する場合の明るさのばらつきを低減する技術を開示する。
【課題を解決するための手段】
【０００６】
本明細書によって開示される手摺照明システムは、直流電源に対して並列接続される複数のＬＥＤユニットと、コントローラと、を備え、手摺りの中に複数の前記ＬＥＤユニットが一列状に配置され、各前記ＬＥＤユニットが前記コントローラに順次ケーブルで接続されている手摺照明システムであって、各前記ＬＥＤユニットは、複数のＬＥＤと、前記ＬＥＤに流れる電流量を調整する調整部と、を備え、前記調整部は、前記コントローラから遠い側の前記ＬＥＤユニットの前記調整部ほど、前記ＬＥＤに流れる電流量が多くなるように調整する。
【０００７】
上記手摺照明システムによると、コントローラから遠い側のＬＥＤユニットの調整部ほど、ＬＥＤに流れる電流量が多くなるように調整するので、複数のＬＥＤユニットを並列に接続して電圧を供給する場合の明るさのばらつきを低減することができる。
【０００８】
また、上記手摺照明システムは、前記ＬＥＤをパルス駆動するディーティ比が記憶されている記憶部を備え、前記調整部は前記記憶部に記憶されているデューティ比で前記ＬＥＤをパルス駆動し、前記コントローラに近い前記ＬＥＤユニットから遠い前記ＬＥＤユニットの順に、前記記憶部に記憶されているデューティ比が大きくなってもよい。
【０００９】
上記手摺照明システムによると、記憶部に記憶されているデューティ比がコントローラに近いＬＥＤユニットから遠いＬＥＤユニットの順に大きくなるので、明るさのばらつきを低減することができる。
【００１０】
また、各前記ＬＥＤユニットは、当該ＬＥＤユニットの識別番号が記憶されている記憶部を備え、前記調整部は、前記ＬＥＤをパルス駆動するディーティ比を前記識別番号に基づいて決定してもよい。
【００１１】
上記手摺照明システムによると、目的のデューティ比に応じた識別番号を記憶部に記憶させておくことにより、目的のデューティ比でＬＥＤをパルス駆動させることができる。
【００１２】
また、本明細書によって開示されるＬＥＤユニットは、手摺照明システムに用いられるＬＥＤユニットであって、複数のＬＥＤと、識別番号が記憶されている記憶部と、前記ＬＥＤをパルス駆動するディーティ比を前記識別番号に基づいて決定し、決定したデューティ比で前記ＬＥＤをパルス駆動する調整部と、を備える。
【００１３】
上記ＬＥＤユニットによると、複数のＬＥＤユニットを並列に接続して電圧を供給する場合の明るさのばらつきを低減することが可能になる。
【発明の効果】
【００１４】
上記の手摺照明システムによると、複数のＬＥＤユニットを並列に接続して電圧を供給する場合の明るさのばらつきを低減することができる。
【図面の簡単な説明】
【００１５】
【図１】実施形態１に係る手摺照明システムを示すブロック図。
【図２】ＬＥＤユニットの構成を示すブロック図。
【図３】光源部の構成を示すブロック図。
【図４】ＲＯＭに記憶されているデューティ比を示す図。
【図５】実施形態２に係るＬＥＤユニットの構成を示すブロック図。
【図６】実施形態３に係る係数テーブルを示す模式図。
【図７】実施形態４に係るコントローラの電気的構成を示すブロック図。
【図８】ＬＥＤユニットの電気的構成を示すブロック図。
【図９】コントローラ、及び、ＬＥＤユニットの回路図。
【図１０】制御信号の模式図。
【図１１】非常時パターンが設定されているときに制御信号を送信するタイミングを示す図。
【図１２】制御信号の例を示す図。
【図１３】実施形態５に係る手摺照明システムの構成を示すブロック図。
【図１４】第２のコントローラの回路図。
【図１５】（Ａ）は第１のコントローラによって電圧に重畳される制御信号を示す図、（Ｂ）は第２のコントローラによって電圧に重畳される制御信号を示す図。
【発明を実施するための形態】
【００１６】
＜実施形態１＞
実施形態１を図１ないし図４によって説明する。
（１）手摺照明システムの全体構成
先ず、図１を参照して、実施形態１に係る手摺照明システム１の全体構成について説明する。手摺照明システム１は通路や階段などの手摺りの中に設けられ、複数のＬＥＤユニット２０を点灯させて歩行者の足元を照明するシステムである。
【００１７】
手摺照明システム１はコントローラ１０と８個のＬＥＤユニット２０とを備えている。複数のＬＥＤユニット２０は手摺りの中に一列状に配置され、各ＬＥＤユニット２０がコントローラ１０に順次電圧線３０で接続されている。電圧線３０はケーブルの一例である。コントローラ１０は直流電源に接続されており、直流電源から供給される電圧を各ＬＥＤユニット２０に供給する。８個のＬＥＤユニット２０はコントローラ１０に対して並列に接続されている。すなわち、８個のＬＥＤユニット２０は直流電源に対してコントローラ１０を介して並列接続されている。
【００１８】
（２）ＬＥＤユニットの電気的構成
図２を参照して、ＬＥＤユニット２０の電気的構成について説明する。ＬＥＤユニット２０は調整部２１、及び、光源部２２を備えて構成されている。
調整部２１はＣＰＵ２１Ａ、ＲＯＭ２１Ｂ、ＲＡＭ２１Ｃなどを備えている。ＣＰＵ２１ＡはＲＯＭ２１Ｂに記憶されているデューティ比に従って光源部２２をパルス駆動することにより、光源部２２に流れる電流量を調整する。ＲＯＭ２１ＢにはＣＰＵ２１Ａによって実行される制御プログラムや後述するデューティ比などが記憶されている。ＲＡＭ２１ＣはＣＰＵ２１Ａが各種の処理を実行するための主記憶装置として用いられる。
【００１９】
図３を参照して、光源部２２について説明する。光源部２２は９個のＬＥＤ２２ＡとＦＥＴ２２Ｂとを備えている。９個のＬＥＤ２２Ａは３つずつ直列に接続されており、これら３つのＬＥＤ２２Ａからなる組が３つ並列に接続されている。
ＦＥＴ２２Ｂは光源部２２に直列に接続されており、調整部２１がＦＥＴ２２Ｂをオンにすると光源部２２が点灯し、オフにすると光源部２２が消灯する。
【００２０】
（３）記憶されているデューティ比
次に、図４を参照して、各ＬＥＤユニット２０のＲＯＭ２１Ｂに記憶されているデューティ比について説明する。ここで、実施形態１では、各ＬＥＤユニット２０はそのＬＥＤユニット２０が配列される順が予め決められているものとする。各ＬＥＤユニット２０にはそのＬＥＤユニット２０が配列される順が表記されており、手摺照明システム１を組み立てる作業者はその表記に従ってＬＥＤユニット２０を配列するものとする。
【００２１】
図４では配列される順が小さいほどコントローラ１０に近いことを示している。図４に示すように、ＬＥＤユニット２０にはコントローラ１０に近いＬＥＤユニット２０ほど小さいデューティ比が記憶されている。言い換えると、コントローラ１０に近いＬＥＤユニット２０から遠いＬＥＤユニット２０の順に、ＲＯＭ２１Ｂに記憶されているデューティ比が順次大きくなる。このようにしている理由は、コントローラ１０から遠くなるにつれて電圧の降下が大きくなるので、各ＬＥＤユニット２０が同じデューティ比で点灯すると、コントローラ１０に近いＬＥＤユニット２０に比べて、コントローラ１０から遠いＬＥＤユニット２０が暗くなってしまい、ＬＥＤユニット２０間で明るさが不均一になってしまうからである。
【００２２】
（４）調整部の作動
次に、調整部２１の作動について説明する。調整部２１は、手摺照明システム１に電圧が供給されると、ＲＯＭ２１Ｂに記憶されているデューティ比を読み出す。そして、調整部２１は読み出したデューティ比でＦＥＴ２２Ｂをオン／オフすることにより、光源部２２をパルス駆動する。
前述したようにＬＥＤユニット２０にはコントローラ１０に近いＬＥＤユニット２０ほど小さいデューティ比が記憶されているので、調整部２１は、コントローラ１０から遠い側のＬＥＤユニット２０の調整部２１ほど、ＬＥＤ２２Ａに流れる電流量が多くなるように調整することになる。
【００２３】
（５）実施形態の効果
以上説明した実施形態１に係る手摺照明システム１によると、調整部２１は、コントローラ１０から遠い側のＬＥＤユニット２０の調整部２１ほど、ＬＥＤ２２Ａに流れる電流量が多くなるように調整する。これにより、複数のＬＥＤユニットを並列に接続して電圧を供給する場合の明るさのばらつきを低減することができる。
【００２４】
また、実施形態１に係るＬＥＤユニット２０によると、複数のＬＥＤユニットを並列に接続して電圧を供給する場合の明るさのばらつきを低減することが可能になる。
【００２５】
＜実施形態２＞
次に、実施形態２を図５によって説明する。
前述した実施形態１では各ＬＥＤユニット２０のＲＯＭ２１Ｂに互いに異なるデューティ比が一つ記憶されている場合を例に説明した。これに対し、実施形態２に係るＬＥＤユニットには複数のデューティ比にそれぞれ異なる識別番号が対応付けられているデューティ比テーブルが記憶されており、調整部２１はＬＥＤをパルス駆動するデューティ比をそのＬＥＤユニットに記憶されている識別番号に基づいて決定する。
【００２６】
（１）ＬＥＤユニットの電気的構成
先ず、図５を参照して、実施形態２に係るＬＥＤユニット５０の電気的構成について説明する。実施形態２に係るＬＥＤユニット５０は調整部５１、光源部２２、及び、設定部５２を備えている。
調整部５１はＣＰＵ５１Ａ、ＥＥＰＲＯＭ５１Ｂ、ＲＡＭ５１Ｃを備えている。ＥＥＰＲＯＭ５１Ｂは不揮発性の書き換え可能なメモリであり、設定部５２によって設定された識別番号、及び、上述したデューティ比テーブルが記憶されている。
【００２７】
設定部５２は表示装置や各種のスイッチなどで構成されており、手摺照明システム１を組み立てる作業者からＬＥＤユニット５０の識別番号の設定を受け付ける。調整部５１は設定部５２によって識別番号の設定を受け付けると、受け付けた識別番号をＥＥＰＲＯＭ５１Ｂに記憶する。ここで、本実施形態ではコントローラ１０に近いＬＥＤユニット２０から順に１〜８の番号が識別番号として設定されるものとする。
【００２８】
（２）デューティ比テーブル
デューティ比テーブルは前述した図４に示す表と同じ形式のテーブルである。前述したように実施形態２ではデューティ比テーブルが全てのＬＥＤユニット５０のＥＥＰＲＯＭ５１Ｂに記憶されている。
【００２９】
（３）調整部の作動
次に、調整部５１の作動について説明する。調整部５１は、手摺照明システム１に電圧が供給されると、ＥＥＰＲＯＭ５１Ｂに記憶されているテーブルから、ＥＥＰＲＯＭ５１Ｂに記憶されている識別番号に対応するデューティ比を読み出す。そして、調整部５１は読み出したデューティ比でＦＥＴ２２Ｂをオン／オフすることにより、光源部２２をパルス駆動する。
【００３０】
以上説明した実施形態２に係る手摺照明システム１によると、手摺照明システム１を組み付ける作業者がＬＥＤユニット２０に識別番号を設定することができるので、どのＬＥＤユニット２０をどの順番で配置してもよい。このためＬＥＤユニット２０の汎用性が高くなる。
【００３１】
＜実施形態３＞
次に、実施形態３を図６によって説明する。
実施形態３は実施形態２の変形例である。実施形態３に係る調整部５１のＥＥＰＲＯＭ５１Ｂには、基準となるデューティ比が記憶されていると共に、基準となるデューティ比に乗算する係数が識別番号に対応付けられている係数テーブル（図６参照）が記憶されている。ここでは基準となるデューティ比は１００％（全点灯）であるとする。
【００３２】
図６を参照して、上述した係数テーブルについて説明する。図６に示すように、係数テーブルには識別番号が小さいほど小さい係数が対応付けられている。例えば識別番号が１のＬＥＤユニット２０の場合、基準となるデューティ比（１００％）に０．８６が乗算される。従って、識別番号が１のＬＥＤユニット２０のデューティ比は８６％に決定される。
【００３３】
＜実施形態４＞
次に、実施形態４を図７ないし図１２によって説明する。
実施形態４は実施形態２の変形例である。なお、実施形態４は実施形態１及び実施形態３に適用することもできる。
【００３４】
前述した実施形態２では連結した複数のＬＥＤユニット５０の点灯態様を個別に切り替えることはできなかった。これに対し、実施形態４では連結した複数のＬＥＤユニット５０の点灯態様を個別に切り替えることができる。具体的には、実施形態４に係る手摺照明システム１は、通常時には複数のＬＥＤユニット５０を全て点灯させて歩行者の足元を照明し、火災や地震などの非常時にはＬＥＤユニット５０を０．１秒間隔で一つずつ順に点灯させて歩行者に避難する方向を案内する。
【００３５】
ところで、連結した複数のＬＥＤユニット５０の点灯態様を個別に切り替える方法としては、コントローラ１０と各ＬＥＤユニット５０とをそれぞれ個別に制御ケーブルで接続する方法が考えられる。しかしながら、そのようにすると手摺照明システム１の構成が複雑になる。
【００３６】
そこで、実施形態４では、コントローラ１０は複数のＬＥＤユニット５０に供給される電圧にＬＥＤユニット５０の点灯態様を指示する点灯制御信号を当該ＬＥＤユニット５０の識別番号に対応付けて重畳し、調整部２１はＥＥＰＲＯＭ２１Ｂに記憶されている識別番号に対応する点灯制御信号に基づいてＬＥＤの点灯態様を切り替える。
【００３７】
（１）コントローラ、及び、ＬＥＤユニット５０の電気的構成
先ず、図７を参照して、実施形態４に係るコントローラ１０の電気的構成について説明する。コントローラ１０はコントローラ制御部１１、電圧切替部１２、及び、操作部１３を備えている。電圧切替部１２についての説明は後述するものとし、ここではコントローラ制御部１１、及び、操作部１３について説明する。
【００３８】
コントローラ制御部１１はＣＰＵ１１Ａ、ＲＯＭ１１Ｂ、ＲＡＭ１１Ｃ、ボーレートジェネレータ１１Ｄなどを備えている。ＣＰＵ１１ＡはＲＯＭ１１Ｂに記憶されている制御プログラムを実行することによってコントローラ１０の各部を制御する。ＲＯＭ１１ＢにはＣＰＵ１１Ａによって実行される制御プログラムや各種のデータなどが記憶されている。ＲＡＭ１１ＣはＣＰＵ１１Ａが各種の処理を実行するための主記憶装置として用いられる。ボーレートジェネレータ１１Ｄは電圧に信号を重畳して送信するためのクロック信号を生成するものである。
【００３９】
操作部１３は手摺照明システム１の点灯パターンを切り替えるためのスイッチである。手摺照明システム１の管理者は操作部１３を操作することによって手摺照明システム１の点灯パターンを通常パターン又は非常時パターンに切り替えることができる。
【００４０】
次に、図８を参照して、実施形態４に係るＬＥＤユニット５０の電気的構成について説明する。ＬＥＤユニット５０は調整部５１、光源部２２、設定部５２、及び、検出部５３を備えて構成されている。検出部５３についての説明は後述するものとし、ここでは調整部５１について説明する。
【００４１】
調整部５１は実施形態２で説明したＣＰＵ５１Ａ、ＥＥＰＲＯＭ５１Ｂ、及び、ＲＡＭ５１Ｃの他に、ボーレートジェネレータ５１Ｄを備えている。ボーレートジェネレータ５１Ｄは電圧に重畳されている信号を検出するためのクロック信号を生成するものである。
【００４２】
（２）コントローラ、及び、ＬＥＤユニットの回路構成
次に、図９を参照して、コントローラ１０、及び、ＬＥＤユニット５０の回路構成について説明する。
【００４３】
先ず、コントローラ１０の回路構成について説明する。前述したようにコントローラ１０は電圧切替部１２を備えている。電圧切替部１２は二つのダイオード１２Ａ、１２Ｂ、及び、これらのダイオードに並列に接続されているＦＥＴ１２Ｃ（Ｆｉｅｌｄ  Ｅｆｆｅｃｔ  Ｔｒａｎｓｉｓｔｏｒ）を備えている。ダイオード１２Ａは直流電源に接続されており、ダイオード１２ＢはＬＥＤユニット５０に接続されている。図９に示すようにＦＥＴ１２ＣのゲートＧはコントローラ制御部１１に接続されている。
【００４４】
次に、ＬＥＤユニット５０の回路構成について説明する。前述したようにＬＥＤユニット５０は光源部２２及び検出部５３を備えている。
光源部２２は９個のＬＥＤ２２Ａ、抵抗２２Ｂ、及び、ＦＥＴ２２Ｃを備えて構成されている。
【００４５】
検出部５３はツェナーダイオード５３Ａ、ダイオード５３Ｂ、コンデンサ５３Ｃ、抵抗５３Ｄ、抵抗５３Ｅ、及び、比較回路５３Ｆを備えて構成されている。
レギュレータ５４は直流電源から供給される電圧を５Ｖに降圧して調整部５１に供給する回路である。
【００４６】
（３）電圧線を介した制御信号の送受信
次に、上述した図９を参照して、電圧線３０を介した制御信号の送受信について説明する。コントローラ１０は光源部２２の点灯／消灯を制御するための制御信号を電圧に重畳することにより、電圧線３０を介して各ＬＥＤユニット５０に制御信号を送信する。
【００４７】
ここでは直流電源からコントローラ１０に＋１２Ｖ（ボルト）の電圧が供給されるものとする。コントローラ１０がＦＥＴ１２Ｃをオンにすると直流電源から供給された＋１２Ｖの電圧がそのままＬＥＤユニット５０に供給される。
【００４８】
コントローラ１０からＬＥＤユニット５０に供給された１２Ｖの電圧はツェナーダイオード５３Ａによって８Ｖ降圧されて４Ｖに降下される。４Ｖに降下された電圧は比較回路５３Ｆの＋入力端子に印加されると共に、ダイオード５３Ｂによって０．６Ｖ降圧されて３．４Ｖとなり、比較回路５３Ｆの−入力端子に印加される。従って、ＦＥＴ１２Ｃがオンにされているときは比較回路５３Ｆの＋入力端子に印加される電圧と−入力端子に印加される電圧との差は０．６Ｖ（＝４−３．４）となる。
【００４９】
これに対し、コントローラ１０がＦＥＴ１２Ｃをオフにすると各ダイオード１２Ａ、１２Ｂによってそれぞれ０．６Ｖずつ電圧が降圧され、ＬＥＤユニット５０に供給される電圧は１０．８Ｖ（＝１２−０．６−０．６）となる。
【００５０】
コントローラ１０からＬＥＤユニット５０に供給された１０．８Ｖの電圧はＬＥＤユニット５０のツェナーダイオード５３Ａによって８Ｖ降圧されて２．８Ｖに降下される。従って、この場合は比較回路５３Ｆの＋入力端子に２．８Ｖの電圧が印加される。ただし、この場合は１２Ｖの電圧が供給されている間にコンデンサ５３Ｃが充電されていることにより、比較回路５３Ｆの−入力端子に印加される電圧は３．４Ｖのままとなる。従ってＦＥＴ１２Ｃがオフにされているときは比較回路５３Ｆの＋入力端子に印加される電圧と−入力端子に印加される電圧との差は−０．６Ｖ（＝２．８−３．４）となり、１２Ｖが供給されているときと電位差が逆転する。
【００５１】
比較回路５３Ｆは例えば＋入力端子に印加される電圧の方が高い場合は調整部５１に出力する信号をＨ（Ｈｉｇｈ）レベルにし、＋入力端子に印加される電圧の方が低い場合は調整部５１に出力する信号をＬ（Ｌｏｗ）レベルにする。調整部５１は比較回路５３Ｆから出力される信号がＨレベルであれば１、Ｌレベルであれば０に変換する。これによりコントローラ１０からＬＥＤユニット５０に電圧線３０を介して１ビット分の信号を送信することができる。
【００５２】
ＬＥＤユニット５０に送信する制御信号は複数のビットで構成されており、コントローラ１０は制御信号を構成しているビットの０／１に応じてＦＥＴ１２Ｃのオン／オフを切り替えることにより、複数のビットからなる制御信号を電圧に重畳する。このときコントローラ１０はボーレートジェネレータ１１Ｄによって生成されるクロック信号に同期してＦＥＴ１２Ｃのオン／オフを切り替える。
【００５３】
一方、調整部５１も比較回路５３Ｆから出力される信号をボーレートジェネレータ５１Ｄによって生成されるクロック信号に同期してビット値に変換する。これにより、コントローラ１０からＬＥＤユニット５０に電圧線３０を介して複数のビットからなる制御信号を送信することができる。
【００５４】
ここで、本実施形態ではコントローラ１０とＬＥＤユニット５０との通信速度は９６００ｂｐｓ（ビット／秒）であるとする。つまり、コントローラ１０は１／９６００秒間隔でＦＥＴ１２Ｃのオン／オフを切り替え、調整部５１は比較回路５３Ｆから出力される信号のＨ／Ｌを１／９６００秒間隔でビット値に変換する。
【００５５】
（４）制御信号
次に、図１０を参照して、制御信号について説明する。制御信号はヘッダ信号、スペース信号、及び、点灯制御信号からなる。
ヘッダ信号は調整部５１がコントローラ１０との同期をとるための信号である。本実施形態ではヘッダ信号は５５Ｈ（１６進数）であるとする。５５Ｈ（１６進数）は２進数でいえば０１０１０１０１（８ビットで表現した場合）である。
【００５６】
スペース信号はヘッダ信号と点灯制御信号との間に時間を確保するために送信される信号である。本実施形態ではスペース信号はＦＦＨ（１６進数）であるとする。ＦＦＨ（１６進数）は２進数でいえば１１１１１１１１である。
点灯制御信号はＬＥＤユニット５０の点灯態様（点灯／消灯）を指示する信号である。点灯制御信号は１バイトからなり、例えば１１１１１１１１が点灯、００００００００が消灯を意味している。本実施形態ではＬＥＤユニット５０が８個であるので制御信号には８つの点灯制御信号が含まれている。
【００５７】
各点灯制御信号は、その点灯制御信号の宛先のＬＥＤユニット５０に設定されている識別番号順に並んでいる。具体的には、１番目の点灯制御信号は識別番号として１が設定されているＬＥＤユニット５０に宛てた点灯制御信号であり、２番目の点灯制御信号は識別番号として２が設定されているＬＥＤユニット５０に宛てた点灯制御信号である。３〜８番目の点灯制御信号についても同様である。
【００５８】
（５）制御信号の送信タイミング
次に、図１１を参照して、非常時パターンに切り替えられているときにコントローラ１０が制御信号を送信するタイミングについて説明する。本実施形態では非常時パターンに切り替えられているときは０．１秒（１００ｍ秒）間隔でＬＥＤユニット５０を一つずつ順に点灯させるので、コントローラ１０は一の制御信号の送信を開始したときから０．１秒が経過した時点で次の制御信号の送信を開始する。
【００５９】
ここで、前述した制御信号のバイト数はヘッダ信号が１バイト、スペース信号が１バイト、点灯制御信号が８バイトであるので合計１０バイトである。通信速度が９６００ｂｐｓ（ビット／秒）の場合、１０バイトの送信に要する時間は８．３ｍ秒（＝８０／９６００）である。従って、１００ｍ秒中に制御信号が送信される時間の割合は８．３％（＝８．３／１００）である。
【００６０】
（６）調整部の作動
次に、調整部５１が制御信号を受信したときの作動について説明する。調整部５１は制御信号を受信すると、複数の点灯制御信号のうちＥＥＰＲＯＭ５１Ｂに記憶されている識別番号に対応する点灯制御信号を自己の点灯制御信号とし、当該点灯制御信号に従って光源部２２の点灯態様を切り替える。例えばＥＥＰＲＯＭ５１Ｂに記憶されている識別番号が１であるとすると、調整部５１は１番目の点灯制御信号が１１１１１１１１であればＦＥＴ２２Ｃをオンにし、００００００００であればＦＥＴ２２Ｃをオフにする。ＦＥＴ２２Ｃをオンにすると光源部２２が点灯し、オフにすると光源部２２が消灯する。
【００６１】
また、調整部５１は、光源部２２を点灯させるとき、実施形態２と同様に、ＥＥＰＲＯＭ５１Ｂに記憶されているテーブルから、ＥＥＰＲＯＭ５１Ｂに記憶されている識別番号に対応するデューティ比を読み出す。そして、調整部５１は読み出したデューティ比でＦＥＴ２２Ｃをオン／オフすることにより、光源部２２をパルス駆動する。
【００６２】
（７）手摺照明システムの作動
次に、図１２を参照して、手摺照明システム１の作動の一例について説明する。なお、前述したように点灯制御信号はＬＥＤユニット５０毎に１バイトの信号であるが、図１２では理解を容易にするため点灯制御信号を１ビット（１：点灯、０：消灯）で示している。また、図１２ではヘッダ信号及びスペース信号は省略している。
【００６３】
コントローラ１０は、操作部１３によって通常パターンに切り替えられている場合は、図１２に示す制御信号Ａを電圧に重畳する。図１２に示すように制御信号Ａでは点灯制御信号が全て１であるので、全てのＬＥＤユニット５０が点灯する。なお、通常パターンでは全てのＬＥＤユニット５０を点灯させたままにするので、手摺照明システム１に電圧が供給されたとき、あるいは非常時パターンから通常パターンに切り替えられたときに１度だけ制御信号を送信すればよい。
【００６４】
一方、非常時パターンに切り替えられている場合は、コントローラ１０は図１２に示す制御信号Ｂ１〜Ｂ８を０．１秒間隔で電圧に重畳する。制御信号Ｂ１は点灯制御信号のうち最初の１ビットが１であり、２〜８番目のビットが０であるので、１番目のＬＥＤユニット５０だけが点灯し、２〜３番目のＬＥＤユニット５０は消灯する。制御信号Ｂ２は２番目の１ビットだけがオンであり、１番目のビット、及び、３〜８番目のビットが０であるので、２番目のＬＥＤユニット５０だけが点灯し、１番目のＬＥＤユニット５０、及び、３〜８番目のＬＥＤユニット５０は消灯する。このように、制御信号Ｂ１〜Ｂ８を０．１秒間隔で電圧に重畳することにより、ＬＥＤユニット５０を０．１秒間隔で一つずつ順に点灯させることができる。
【００６５】
（８）実施形態の効果
以上説明した実施形態４に係る手摺照明システム１によると、コントローラ１０は複数のＬＥＤユニット５０に供給される電圧にＬＥＤユニット５０の点灯態様を指示する点灯制御信号を当該ＬＥＤユニット５０の識別番号に対応付けて重畳し、調整部５１はＥＥＰＲＯＭ５１Ｂに記憶されている識別番号に対応する点灯制御信号に基づいてＬＥＤの点灯態様を切り替えるので、コントローラ１０と複数のＬＥＤユニット５０とをそれぞれ個別に制御ケーブルで接続しなくても複数のＬＥＤユニット５０の点灯態様を個別に切り替えることができる。よって手摺照明システム１によると、連結されている複数のＬＥＤユニット５０の点灯態様を簡素な構成で個別に切り替えることができる。
【００６６】
更に、手摺照明システム１によると、コントローラ１０は識別番号の順に点灯制御信号を重畳し、各調整部５１はＥＥＰＲＯＭ５１Ｂに記憶されている識別番号に対応する点灯制御信号を自己の点灯制御信号とし、当該点灯制御信号に基づいてＬＥＤの点灯態様を切り替えるので、コントローラ１０は識別番号を送信しなくても点灯制御信号のみを送信するだけで目的のＬＥＤユニット５０に点灯制御信号を受信させることができる。これにより点灯制御信号を送信するための制御を簡素にすることができる。
【００６７】
また、実施形態４に係るＬＥＤユニット５０によると、供給される電圧に重畳されている信号を検出し、ＥＥＰＲＯＭ５１Ｂに記憶されている識別番号に対応する点灯制御信号に基づいてＬＥＤの点灯態様を切り替えるので、連結されている複数のＬＥＤユニット５０の点灯態様を簡素な構成で個別に切り替えることが可能になる。
【００６８】
＜実施形態５＞
次に、実施形態５を図１３ないし図１５によって説明する。
実施形態５では、８個のＬＥＤユニットを一つのＬＥＤユニット群というとき、一つのコントローラによって複数のＬＥＤユニット群の点灯態様を制御する。
【００６９】
図１３を参照して、実施形態５に係る手摺照明システム２の構成について説明する。手摺照明システム２は、第１のコントローラ７０、第１のＬＥＤユニット群７１、第２のコントローラ８０、及び、第２のＬＥＤユニット群８１を備えている。第１のコントローラ７０の構成は実施形態４に係るコントローラ１０と同じである。第１のＬＥＤユニット群７１、及び、第２のＬＥＤユニット群８１はそれぞれ実施形態４に係るＬＥＤユニット５０を８個備えている。
【００７０】
図１３に示すように、第１のＬＥＤユニット群７１と第２のＬＥＤユニット群８１とは第２のコントローラ８０を介して接続されている。第２のコントローラ８０には第１のＬＥＤユニット群７１から電圧が供給されるとともに、別の直流電源から１２Ｖの電圧が供給される。
【００７１】
図１４に示すように、第２のコントローラ８０は検出部５３、第２コントローラ制御部８３、及び、電圧切替部１２を備えている。検出部５３の構成は実施形態４に係るＬＥＤユニット５０が備えている検出部５３と同じ構成であり、第１のＬＥＤユニット群７１から供給された電圧に重畳されている制御信号を検出する。
【００７２】
電圧切替部１２は別の直流電源と第２のＬＥＤユニット群８１との間に直列に設けられている。電圧切替部１２は実施形態４に係るコントローラが備えている電圧切替部１２と同じ構成である。
第２コントローラ制御部８３は検出部５３によって検出された信号に応じて電圧切替部１２のＦＥＴ１２Ｃをオン／オフすることにより、別の直流電源から第２のＬＥＤユニット群８１に供給される電圧に信号を重畳する。
【００７３】
図１５（Ａ）は第１のコントローラ７０によって電圧に重畳される制御信号を示している。図１５（Ａ）に示す制御信号は、前述した実施形態４で説明した制御信号に、第２のＬＥＤユニット群８１を構成しているＬＥＤユニット５０に宛てた点灯制御信号を付加したものである。
【００７４】
図１５（Ｂ）は第２のコントローラ８０によって電圧に重畳される制御信号を示している。第２のコントローラ８０は検出部５３によって検出した制御信号から第１のＬＥＤユニット群７１に宛てた点灯制御信号を除外した制御信号を電圧に重畳する。
【００７５】
以上説明した実施形態４に係る手摺照明システム１によると、複数のＬＥＤユニット群の点灯態様を一つのコントローラ（第１のコントローラ７０）によって制御することができる。
【００７６】
＜他の実施形態＞
上記記述及び図面によって説明した実施形態に限定されるものではなく、例えば次のような実施形態も技術的範囲に含まれる。
【００７７】
（１）上記実施形態では手摺照明システム１が８個のＬＥＤユニット２０やＬＥＤユニット５０（以下「ＬＥＤユニット２０」という）を備える場合を例に説明した。しかしながら、ＬＥＤユニット２０の数は８個に限定されるものではなく、適宜に決定することができる。
また、上記実施形態４及び実施形態５では直流電源から１２Ｖの電圧が供給される場合を例に説明したが、供給される電圧は１２Ｖに限られるものではなく、適宜に決定することができる。
また、上記実施形態４及び実施形態５では通信速度として９６００ｂｐｓを例に説明したが、通信速度は９６００ｂｐｓに限られるものではなく、適宜に決定することができる。
この他、上記実施形態で示した各種の値は一例であり、上記実施形態で示した値に限定されるものではない。
【００７８】
（２）上記実施形態１では調整部２１がＣＰＵ２１ＡやＲＯＭ２１Ｂを備え、ＲＯＭ２１Ｂに記憶されているデューティ比に従って光源部２２をパルス駆動することによって電流量を調整する場合を例に説明した。これに対し、調整部２１は光源部２２と直流電源との間に設けられる抵抗であってもよい。そして、コントローラ１０から遠い側のＬＥＤユニット２０の抵抗ほど抵抗値を小さくしてもよい。これにより、コントローラ１０から遠い側のＬＥＤユニット２０の調整部２１ほど、ＬＥＤ２２Ａに流れる電流量が多くなるように調整することになる。なお、上述した抵抗は可変抵抗器であってもよい。そして、コントローラ１０から遠い側のＬＥＤユニット２０の可変抵抗器ほど抵抗値を小さく設定しておいてもよい。あるいは、可変抵抗器に替えて電子ボリュームを用いてもよい。
【００７９】
（３）上記実施形態２では記憶部としてＥＥＰＲＯＭ５１Ｂを例に説明した。しかしながら、記憶部はＥＥＰＲＯＭ５１Ｂに限られるものではない。例えばＬＥＤユニット５０は識別番号を設定するためのディップスイッチを備えていてもよい。この場合はディップスイッチが記憶部の一例である。
【００８０】
（４）上記実施形態では識別番号として１〜８の番号を例に説明した。これに対し、識別番号はＬＥＤユニット２０の番号を特定できる情報であればよく、例えば「Ａ」〜「Ｈ」のアルファベットでもよい。
【００８１】
（５）上記実施形態４及び実施形態５では手摺照明システム１の点灯パターンとして通常パターンと非常時パターンとの二つのパターンを例に説明したが、点灯パターンはこれら２つに限定されるものではない。例えば通常時には全てのＬＥＤユニット２０を点灯させるのではなく、予め設定されているイルミネーションパターンで点灯させてもよい。
【００８２】
（６）上記実施形態４及び実施形態５では非常時パターンとしてＬＥＤユニット２０を一つずつ順に消灯させるパターンを例に説明したが、非常時パターンはこれに限られるものではない。例えばＬＥＤユニット２０を一つずつ順に消灯させるパターンであってもよい。この場合は図１２に示す制御信号Ｂ１〜Ｂ８において点灯制御信号のビットが反転することになる。
あるいは、非常時パターンは、１番と５番のＬＥＤユニット２０を同時に点灯させ、０．１秒が経過すると２番と６番のＬＥＤユニット２０を同時に点灯させ、同様に１秒が経過するごとに３番と７番、４番と８番のＬＥＤユニット２０を同時に点灯させてもよい。
また、上述した例では非常時パターンにおいてＬＥＤユニット２０を０．１秒間隔で点灯させるが、ＬＥＤユニット２０を点灯させる間隔は０．１秒に限られるものではなく、任意に設定することができる。
【００８３】
（７）上記実施形態４及び実施形態５では手摺照明システム１の管理者が操作部１３を操作することによって手摺照明システム１の点灯パターンを切り替える場合を例に説明した。これに対し、家屋などに設置される火災報知機などの上位システムと連動させ、非常時に上位システムが手摺照明システム１に非常時パターンへの切り替えを指示してもよい。
【００８４】
（８）上記実施形態４及び実施形態５では調整部５１はボーレートジェネレータ５１Ｄによって生成されたクロック信号を補正する処理は行っていないが、調整部５１はボーレートジェネレータ５１Ｄによって生成されたクロック信号を補正してもよい。具体的には、調整部５１はボーレートジェネレータ５１Ｄが生成したクロック信号をカウントすることによって時間を計測し、コントローラから制御信号を受信した間隔が１００ｍｓからずれている場合はそのずれに応じてカウンタを補正してもよい。
【００８５】
（９）上記実施形態４及び実施形態５では各ＬＥＤユニット２０に宛てた点灯制御信号をＬＥＤユニット２０に設定されている識別番号の順で重畳する場合を例に説明した。これに対し、例えば各ＬＥＤユニット２０のアドレスをコントローラに記憶させておき、コントローラは目的のＬＥＤユニット２０に点灯制御信号を送信するときそのＬＥＤユニット２０のアドレスと点灯制御信号とを電圧に重畳してもよい。そして、調整部５１は、そのＬＥＤユニット２０に設定されているアドレスが対応付けられている信号を受信した場合に、その点灯制御信号を自己の点灯制御信号としてもよい。
【００８６】
（１０）上記実施形態４及び実施形態５ではＬＥＤユニット２０を点灯させるとき１００％で点灯させる場合を例に説明した。これに対し、ＬＥＤユニット２０を点灯させる場合でも１００％ではなく人が見ても判らない程度に高速点滅させてもよい。これによりＬＥＤユニット２０が消灯しているオフ期間での省エネルギーを図ることができる。
【００８７】
（１１）上記実施形態では調整部２１がＣＰＵ２１Ａを備えている場合を例に説明した。これに対し、調整部２１はＣＰＵ２１Ａに替えてＦＰＧＡ（Ｆｉｅｌｄ  Ｐｒｏｇｒａｍｍａｂｌｅ  Ｇａｔｅ  Ａｒｒａｙ）を備えていてもよい。また、調整部２１はＡＳＩＣによって構成されてもよい。調整部５１、コントローラ制御部１１、及び、第２コントローラ制御部８３についても同様である。
【符号の説明】
【００８８】
１・・・手摺照明システム、１０・・・コントローラ、２１・・・調整部、２２・・・光源部、２２Ａ・・・ＬＥＤ、２０・・・ＬＥＤユニット、３０・・・電圧線、５０・・・ＬＥＤユニット、５１・・・調整部、５１Ａ・・・ＣＰＵ、５１Ｂ・・・ＥＥＰＲＯＭ、５２・・・設定部
【図１】
2015195099.tif 000003
【図２】
2015195099.tif 000004
【図３】
2015195099.tif 000005
【図４】
2015195099.tif 000006
【図５】
2015195099.tif 000007
【図６】
2015195099.tif 000008
【図７】
2015195099.tif 000009
【図８】
2015195099.tif 000010
【図９】
2015195099.tif 000011
【図１０】
2015195099.tif 000012
【図１１】
2015195099.tif 000013
【図１２】
2015195099.tif 000014
【図１３】
2015195099.tif 000015
【図１４】
2015195099.tif 000016
【図１５】
2015195099.tif 000017